【事件の表示】
　平成　９年特許願第１１６９３８号「遊技場管理システム」拒絶査定不服審判事件〔平成１０年１１月１７日出願公開、特開平１０−３０５１５１〕について、次のとおり審決する。
【結　論】
　本件審判の請求は、成り立たない。
【理　由】
【１】手続の経緯及び本願発明 
　本願は、平成９年５月７日の出願であって、平成１３年１１月２９日付けで拒絶査定がなされ、これに対し、平成１３年１２月２８日付けで拒絶査定に対する審判請求がなされ、平成１４年１月２２日付けで手続補正がなされたものである。
　　　　
【２】平成１４年１月２２日付けの手続補正についての補正の却下の決定
［補正の却下の決定の結論］
　平成１４年１月２２日付けの手続補正を却下する。
［理由］
１．補正後の本願発明
　平成１４年１月２２日付けの手続補正により、特許請求の範囲の請求項１は、
「【請求項１】遊技台が多数設置された遊技場に設けられるものであって、
遊技客を特定するための識別コードが記憶された記憶担体と、前記遊技台に対応する位置に、前記記憶担体の使用状態でその記憶内容を読取可能に設けられた読取手段と、
　前記遊技台毎の稼働情報を記憶する稼働情報記憶手段と、遊技客による前記遊技台での遊技開始を判定する遊技開始判定手段と、この遊技開始判定手段が遊技開始したと判定した後に遊技の終了を判定する遊技終了判定手段と、
　前記遊技開始判定手段が遊技開始を判定した後に使用状態とされ、前記遊技終了判定手段が遊技終了を判定する前に使用状態が解除された前記記憶担体から前記読取手段が読取った識別コードと、前記稼働情報記憶手段が記憶している稼働情報のうち前記遊技開始判定手段が遊技開始を判定してから前記遊技終了判定手段が遊技終了を判定するまでの間の稼働情報とを対応付ける遊技客特定手段とを備えたことを特徴とする遊技場用管理システム。」（以下、この補正を「本件補正」という。）
と補正された。
　　　
２．補正の適否の検討
　前記本件補正の請求項１に関する補正は、【請求項１】に記載された発明を特定する事項である「前記遊技台に対応する位置に、前記記憶担体の記憶内容を読取可能に設けられた読取手段」の事項を、「前記遊技台に対応する位置に、前記記憶担体の使用状態でその記憶内容を読取可能に設けられた読取手段」に、また、「前記遊技開始判定手段が遊技開始を判定してから前記遊技終了判定手段が遊技終了を判定するまでの間に使用された前記記憶担体から読取った識別コードと前記稼働情報記憶手段が記憶している稼働情報とを対応付ける遊技客特定手段」の事項を、「前記遊技開始判定手段が遊技開始を判定した後に使用状態とされ、前記遊技終了判定手段が遊技終了を判定する前に使用状態が解除された前記記憶担体から前記読取手段が読取った識別コードと、前記稼働情報記憶手段が記憶している稼働情報のうち前記遊技開始判定手段が遊技開始を判定してから前記遊技終了判定手段が遊技終了を判定するまでの間の稼働情報とを対応付ける遊技客特定手段」に限定的に特定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項の規定において読み替えて準用する同法第１２６条第４項の規定に適合するか）について以下に検討する。
　　　
【３】引用例に記載の発明
１．原査定の拒絶の理由に引用され、本願の出願日前に頒布された特開平８−２３８３７３号公報（以下、「引用例１」という。）には、図面とともに、以下の技術事項が記載されている。
「【産業上の利用分野】本発明は、遊技客を特定可能なＩＤコードを利用して顧客サービスを行い得るようにした遊技場用のデータ管理システムに関する。」（段落【０００１】）
「【実施例】・・・・全体の概略構成を示す図１において、パチンコホール内には、多数台ずつのパチンコ遊技機１及び玉貸機２が並設されている。各遊技機１には、周知のアウト玉計数機３及びセーフ玉計数機４が付随して設けられ、また、各玉貸機２にはカードリーダ５が付随して設けられており、それら各計数機３、４及びカードリーダ５からの信号は、パチンコ遊技機１と１対１で対応するように設けられた制御部６に与えられる構成となっている。」（段落【００１６】）
「上記制御部６は、パチンコ遊技機１及び玉貸機２を制御する機能の他に、パチンコ遊技機１、玉貸機２、アウト玉計数機３、セーフ玉計数機４及びカードリーダ５の各グループと、パチンコホール内のデータ管理を行うための後述の演算管理装置７（本発明でいうデータ管理手段に相当）との間での信号の授受を中継する機能を備えたもので、概略以下のような動作を行うようになっている。」（段落【００１７】）
「即ち、制御部６は、パチンコ遊技機１からの信号（特賞信号など）、玉貸機２からの信号（放出パチンコ玉数データ及び売上データなど）、アウト玉計数機３及びセーフ玉計数機４からの各計数データ、カードリーダ５による読み取りデータなどを演算管理装置７へ送信すると共に、演算管理装置７から送信されてくる信号（パチンコ遊技機１に対する打止信号や開放信号、玉貸機２に対する貯玉データや放出禁止信号など）に基づいてパチンコ遊技機１及び玉貸機２の制御を行う構成となっている。」（段落【００１８】）
「ここで、上記カードリーダ５は、パチンコホールの遊技会員となった遊技客（顧客）に対して発行される例えば磁気記録タイプの会員カード８（本発明でいう記録担体に相当）のデータを読み込むためのものであり、前記演算管理装置７から送信される貯玉データ（本発明でいう預かりデータに相当）は、所謂貯玉システムにおいて、当該演算管理装置７側の後述する貯玉データファイル（図１０参照）中に、上記会員カード８に対応付けて記憶されるデータである。」（段落【００１９】）
「そして、制御部６は、カードリーダ５に会員カード８がセットされるのに応じて上記貯玉データを受信した状態では、その貯玉データの範囲内の所定個数ずつのパチンコ玉を玉貸機２を通じて放出する構成となっている。また、制御部６は、上記のような貯玉データを利用したパチンコ玉の放出動作を行った場合には、上記会員カード８の会員ＮＯ．と対応付けた貯玉消費数データΔＨを演算管理装置８へ送信する構成となっている。」（段落【００２０】）
「尚、上記会員カード８は、・・・・会員を特定するために割当てられたＩＤコードある例えば８桁の会員ＮＯ．、例えば４桁の暗証ＮＯ．、カード有効年月を示す有効期限データなどが記録されており、その会員カード８がパチンコホールないで使用可能か否かを、上記加盟店コード及び会員ＮＯ．（必要に応じて暗証ＮＯ．）を利用して判断する構成となっている。」（段落【００２１】）
「演算管理装置７の端末機器である貯玉預入処理端末機９（本発明でいうデータ入力端末に相当）は、図では１台のみ示したが、実際にはパチンコホール内の複数箇所（例えば「島」の端など）に設置されるもので、投入されたパチンコ玉を計数する機能、その計数結果を前記会員カード８の会員ＮＯ．と対応付けた貯玉数データΔＣとして演算管理装置７側に送信する機能、非会員に対して上記計数結果を景品玉数データとして記録した周知のレシート状預かり券（図示せず）を発行すると共に、そのときの景品玉数データを演算管理装置７側に送信する機能などを有する。尚、図示しないが、この貯玉預入処理端末機９には、会員カード８からデータを読み込むためのカードリーダが設けられるものであり、斯様な会員カード８から会員ＮＯ．を読み込んだ状態で計数動作を行った場合に、その会員ＮＯ．と対応付けた前記貯玉データΔＣを送信する構成となっている。」（段落【００２２】）
「・・・・パチンコ遊技機１での遊技時において、自身の会員カード８を当該遊技機１に対応したカードリーダ５にセットした状態とするものである。そして、斯様な遊技状態では、パチンコ遊技機１に対応した制御部６は、その遊技に伴うアウト玉数、セーフ玉数、特賞回数、特賞チャンスのスタート回数（例えば所謂セブン機の場合には、ルーレットの駆動開始用の特定入賞孔への入賞回数）、遊技開始時刻、遊技終了時刻の各データと、上記会員カード８から読み込んだ会員ＮＯ．とを対応付けた遊技データΔＰを、演算管理装置７へ送信する構成となっている。」（段落【００２５】）
「図２には演算管理装置７による制御内容のうち、本発明の要旨に関係した部分のみが示されており、以下これについて説明する。即ち、演算管理装置７は、以下に述べる判断ステップＡ１〜Ａ５の何れかで「ＹＥＳ」と判断するまで待機するループを形成する。」（段落【００２６】）
「具体的には、ステップＡ１では、制御部６、貯玉預入処理端末機９、・・・・の何れかから会員ＮＯ．が入力されたか否かを判断する。つまり、パチンコ遊技機１に対応したカードリーダ５が会員カード８のデータを読み込んだ状態、貯玉預入処理端末機９・・・・カードリーダが会員カード８のデータを読み込んだ状態、・・・・の何れかが発生したか否かを判断する。」（段落【００２７】）
「ステップＡ３では、制御部６からの遊技データΔＰの入力の有無を判断する。この遊技データΔＰは、前述したように、パチンコ遊技機１におけるアウト玉数、セーフ玉数、特賞回数、特賞チャンスのスタート回数、遊技開始時刻、遊技終了時刻の各データと、その遊技を行った遊技客の会員ＮＯ．とを対応付けたデータである。」（段落【００２９】）
「しかして、ステップＡ３〜Ａ５の何れかで「ＹＥＳ」と判断した場合には、該当ファイル更新処理ルーチンＡ６を実行する。ここで、上記該当ファイル更新処理ルーチンＡ６の内容を説明するのに先立って、演算管理装置７に設定されているデータファイルのうち、本発明の要旨に関係した部分のフォーマット例について図９〜図１３を参照して説明しておく。」（段落【００３２】）　　「・・・・図１１に示す遊技データファイルは、１営業日分における全パチンコ遊技機１での遊技データを、当該パチンコ遊技機１での遊技客（会員のみ）毎に記録したファイルである。この遊技データファイルは、営業日を示す年月日データ及びパチンコ遊技機１の台番号データに対応付けて、各会員カード８に記録された会員ＮＯ．と、その会員ＮＯ．と対応付けられた状態の前記遊技データΔＰにより得られるアウト玉数、セーフ玉数、特賞回数、特賞チャンスのスタート回数、遊技開始時刻、遊技終了時刻の各データとを羅列した構成となっている。尚、この遊技データファイルも、所定日数だけ破棄されずに保持されるものであり、従って、当該データファイルは複数の営業日分に渡って存在することになる。」（段落【００３５】）
「さて、前記該当ファイル更新処理ルーチンＡ６では、前記遊技データΔＰ、・・・・、入力されたデータに基づいて、・・・・遊技データファイル、・・・・・の更新を行う。」（段落【００３８】）　
「具体的には、遊技データΔＰが入力されたとき（ステップＡ３で「ＹＥＳ」）、つまり会員によるパチンコ遊技機１での遊技が終了したときには、図１１の遊技データファイルのうち、当該パチンコ遊技機１の台番号データに対応したエリアに対し、上記遊技データΔＰに含まれる会員ＮＯ．、並びにアウト玉数、セーフ玉数、特賞回数などの各データを追加記録する。また、上記会員ＮＯ．に対応した特賞回数のデータを、遊技データファイル中から抽出して加算し、その加算結果（つまり上記会員ＮＯ．により特定される会員の当日における特賞回数の合計値）に基づいて、図１２（ｂ）に示す特賞回数ランキングデータファイルを修正する。」（段落【００３９】）
　　　　
　以上の記載から、「引用例１」には、以下の発明（以下、「引用例１に記載の発明」という。）が記載されているものと認められる。
＜引用例１に記載の発明＞
「パチンコ遊技機１が多数台並設されたパチンコホール内に設けられるものであって、遊技客を特定するためのＩＤコードが記録された会員カード８と、前記パチンコ遊技機１の玉貸機２に前記会員カード８のデータを読み込み可能に設けられたカードリーダ５と、前記会員カード８から前記カードリーダ５が読み込んだＩＤコードと遊技時において遊技に伴う遊技開始時刻、遊技終了時刻等の各データからなる遊技データとを対応付ける制御部６と、各遊技機の遊技データを記録する演算管理装置７とからなり、遊技が終了したとき、前記ＩＤコードと遊技データとを対応付けて前記演算管理装置７に記録するようにした、遊技場用のデータ管理システム。」
　　　
【４】対比・判断
１．本願補正発明と引用例１に記載の発明との対比
　本願補正発明と引用例１に記載の発明とを対比すると、引用例１に記載の発明の「パチンコ遊技機１が多数台並設されたパチンコホール」、「遊技客を特定するためのＩＤコードが記録された会員カード８」、「各遊技機の遊技データを記録する演算管理装置７」、「前記会員カード８から前記カードリーダ５が読み込んだＩＤコードと」、「遊技データとを対応付ける制御部６」、「遊技場用のデータ管理システム」が、本願補正発明の「遊技台が多数設置された遊技場」、「遊技客を特定するための識別コードが記憶された記憶担体」、「遊技台毎の稼働情報を記憶する稼働情報記憶手段」、「前記記憶担体から前記読取手段が読取った識別コードと」、「稼働情報とを対応付ける遊技客特定手段」、「遊技場用管理システム」にそれぞれ相当する。
　また、本願補正発明の「記憶坦体の使用状態」については、本願発明の段落【０００７】〜【０００８】、【００５４】、【００６２】、【００７３】〜【００８０】、【００９１】〜【００９６】、【０１１６】〜【０１２１】から、当該遊技の遊技者を特定するのに記憶坦体の識別コードが読取手段に読取可能なように、カード挿入口に挿入され内部に取り込まれた状態と解されるから、引用例１の段落【００１９】、【００２０】より、「カードリーダ５に会員カード８がセットされ」た状態が、本願補正発明の「記憶坦体の使用状態」に相当し、その際に「記憶内容を読取」も行われるから、引用例１に記載の発明の「パチンコ遊技機１の玉貸機２に前記会員カード８のデータを読み込み可能に設けられたカードリーダ５」が、本願補正発明の「前記遊技台に対応する位置に、前記記憶担体の使用状態でその記憶内容を読取可能に設けられた読取手段」に相当する。
　そして、本願補正発明における、「記憶坦体の使用状態の解除」については、「記憶坦体の使用状態」が上記認定のとおり、当該遊技の遊技者を特定するのに記憶坦体の識別コードが読取手段に読取可能なように、カード挿入口に挿入され内部に取り込まれた状態であることから、記憶坦体の識別コードが読取手段に読取出来ない状態、即ち、記憶担体が読取手段から排出された状態であるものと解する。
　また、引用例１に記載の発明の遊技開始時刻と遊技終了時刻の記録は遊技開始とその後の遊技終了の判断に基づいて決定されることは技術常識であるから、引用例１に記載の発明には、本願補正発明と同様に「遊技客による前記遊技台での遊技開始を判定する遊技開始判定手段」と「遊技開始したと判定した後に遊技の終了を判定する遊技終了判定手段」を備えているのは明らかである。
　　　
　してみると、引用例１に記載の発明と本願補正発明とは　　　　
「遊技台が多数設置された遊技場に設けられるものであって、遊技客を特定するための識別コードが記憶された記憶担体と、前記遊技台に対応する位置に、前記記憶担体の使用状態でその記憶内容を読取可能に設けられた読取手段と、前記遊技台毎の稼働情報を記憶する稼働情報記憶手段と、遊技客による前記遊技台での遊技開始を判定する遊技開始判定手段と、この遊技開始判定手段が遊技開始したと判定した後に遊技の終了を判定する遊技終了判定手段と、前記記憶担体から前記読取手段が読取った識別コードと、稼働情報とを対応付ける遊技客特定手段とを備えた遊技場用管理システム。」
　　　　　
　である点で一致し、以下の点で相違する。
＜相違点＞
　本願補正発明は、遊技終了判定前に記憶坦体の使用状態が解除されているのに対し、引用例１に記載の発明は、遊技終了判定は記憶坦体の使用状態が解除である点。したがって、引用例１に記載の発明には、当該使用状態の解除と終了判定までの稼働情報と識別コードとを対応付ける遊技客特定手段を備えていない点。　　　　
　　　　　　
２．相違点についての検討
＜相違点について＞
　本願補正発明における「記憶坦体の使用状態」、及び、「記憶坦体の使用状態の解除」については、上記のとおり、当該遊技の遊技者を特定するのに記憶坦体の識別コードが読取手段に読取可能なように、カード挿入口に挿入され内部に取り込まれた状態、及び、記憶坦体の識別コードが読取手段に読取出来ない状態、即ち、記憶担体が読取手段から排出された状態を示すものであるが、当該技術分野において遊技中に、一旦カード（記憶坦体）が排出された状態においても、識別コードと遊技の稼働情報を対応付ける点は、従来周知の技術（例えば、特開平７−１３２１７９号公報（段落【０１１７】〜【０１１８】、【０１７３】〜【０１８３】、【０２０３】〜【０２０５】、【０２７４】、【０３２５】〜【０３２６】参照）、特開平７−３１３７１３号公報（段落【０１１７】〜【０１１８】、【０１７２】〜【０１８２】、【０２０２】〜【０２０４】、【０２７４】、【０３２６】〜【０３２７】参照）であり、これらは、カード（記憶坦体）が排出された状態において、遊技終了をカード（記憶坦体）の挿入で行わせているが、上記の周知技術は、一旦カード（記憶坦体）が排出された状態で識別コードと遊技の稼働情報の対応付けができるものであり、単なる遊技終了を、スイッチ操作による手段や種々の条件で行わせることも、周知技術（例えば、上記周知技術、特開平２−２５５１７２号公報、第８頁左上欄第１７行〜同頁右上欄６行参照）であるから、カード（記憶坦体）が排出された状態で当該遊技の終了を、一旦排出されたカード（記憶坦体）の使用によらず、種々の条件・手段で行わせることは、当業者が適宜に設定し得る事項のものといえる。
　そうすると、引用例１に記載の発明と上記周知技術は、記憶坦体の利用により遊技客と遊技台の遊技履歴を関連付けて管理する技術において共通するから、引用例１に記載の発明の遊技客特定手段に、カード（記憶坦体）が排出された状態で識別コードと遊技の稼働情報の対応付けができる手段を備えた上記周知技術を適用し、本願補正発明の相違点に係る構成とすることは、当業者が容易に想到し得たことである。
　なお、遊技開始や終了の判定について、当該技術分野では、遊技開始を記憶坦体の挿入や排出時とすること、カード挿入後所定時間内に遊技が行われないことや獲得レジスタ値の状況で遊技終了とすること等が、特特開平８−２９９５６３号公報（段落【０１２６】参照）、特開平６−３９１３０号公報（段落【００１２】参照）、特開平７−３０３７５３号公報（段落【０１４９】参照）、特開平２−２５５１７２号公報（第８頁左上欄第１７行〜同頁右上欄第６行参照）にも示されるように、各種条件で遊技開始や終了とする手段を備えた点が従来周知の技術であるから、遊技開始や終了の判定に種々の条件を設定する手段を備えさせることは、当業者が適宜選択し得る設計事項にすぎない。
　　　　
３．作用効果・判断
  そして、本願補正発明における作用効果は、引用例１に記載の発明及び周知技術に基づいて当業者が当然予測できるものである。
　したがって、本願補正発明は、引用例１に記載の発明及び周知技術に基づいて当業者が容易に発明をすることができたものであるから、特許法第２９条第２項の規定により特許を受けることができない。
　　　　
【５】むすび
　以上のとおり、本願補正発明は、平成１５年改正前特許法第１７条の２第５項の規定において読み替えて準用する同法第１２６条第４項の規定に違反するものであり、特許法第１５９条第１項の規定において読み替えて準用する同法第５３条第１項の規定によって却下されるべきものである。
　よって、上記「補正の却下の決定の結論」のとおり決定する。
　　　　
【６】本願発明について
１．本願発明
　平成１４年１月２２日付けの手続補正は上記のとおり却下されたので、本願は出願当初の明細書及び図面の記載からみて、本願の特許請求の範囲の請求項１乃至１７に記載された事項により特定されるものと認められるところ、その請求項１に記載された発明（以下、「本願発明」という。）は以下のとおりである。
「遊技台が多数設置された遊技場に設けられるものであって、遊技客を特定するための識別コードが記憶された記憶担体と、
　前記遊技台に対応する位置に前記記憶担体の記憶内容を読取可能に設けられた読取手段と、前記遊技台毎の稼働情報を記憶する稼働情報記憶手段と、
　遊技客による前記遊技台での遊技開始を判定する遊技開始判定手段と、
　この遊技開始判定手段が遊技開始したと判定した後に遊技の終了を判定する遊技終了判定手段と、
　前記遊技開始判定手段が遊技開始を判定してから前記遊技終了判定手段が遊技終了を判定するまでの間に使用された前記記憶担体から読取った識別コードと前記稼働情報記憶手段が記憶している稼働情報とを対応付ける遊技客特定手段とを備えたことを特徴とする遊技場用管理システム。」
　　　
２．引用例に記載された発明
　原査定の拒絶の理由に引用された引用例、及び、その記載事項は、前記「【３】」に記載したとおりである。
　　　
３．対比・判断
　本願発明は、本願補正発明から前記「【２】２．」で検討した限定事項を省いたものである。
　そうすると、本願発明の構成要件を全て含み、さらに、上記限定事項を付加したものに相当する本願補正発明が、前記「【４】２．」に記載したとおり、引用例１に記載の発明及び周知技術に基づいて、当業者が容易に発明をすることができたものであるから、本願発明も同様の理由により、当業者が容易に発明をすることができたものである。
　　　　
【７】むすび
　以上のとおり、本願発明は、引用例１に記載の発明及び周知技術津に基づいて、当業者が容易に発明をすることができたものであるから、特許法第２９条第２項の規定により、特許を受けることができない。